(57)【特許請求の範囲】
【請求項１】
環境明るさを取得することと、
前記環境明るさに基づいて端末に設けられたメッセージ表示器の発光パラメーターを決定することと、
前記発光パラメーターに基づいて発光するように前記メッセージ表示器を制御することと、
を含み、
前記環境明るさに基づいて端末に設けられたメッセージ表示器の発光パラメーターを決定することは、前記環境明るさに基づいて前記メッセージ表示器の明るさを決定することを含み、
前記環境明るさに基づいて前記メッセージ表示器の明るさを決定することは、
前記環境明るさに基づいて前記端末のスクリーン明るさを決定することと、
前記スクリーン明るさに基づいて前記メッセージ表示器の明るさを決定することと、を含み、
前記スクリーン明るさは、前記メッセージ表示器の明るさに比例する、発光を制御するための方法。
【請求項２】
前記環境明るさに基づいて端末に設けられたメッセージ表示器の発光パラメーターを決定することは、前記環境明るさに基づいて前記メッセージ表示器の色温度を決定することを含む、請求項１に記載の方法。
【請求項３】
前記環境明るさに基づいて前記メッセージ表示器の色温度を決定することは、
前記環境明るさと前記色温度との対応関係を含む第１所定対応関係に基づいて前記環境明るさに対応する色温度を決定すること、
又は、
前記環境明るさの明るさ範囲を取得することと、
前記明るさ範囲と前記色温度との対応関係を含む第２所定対応関係に基づいて前記明るさ範囲に対応する色温度を決定することと、
を含む、請求項２に記載の方法。
【請求項４】
発光するように前記メッセージ表示器をトリガーする条件が満たされるならば、前記メッセージ表示器が所定発光条件に合うか否か決定し、ここで、前記所定発光条件は、前記メッセージ表示器に発光することを許す所定条件を指すことと、
前記メッセージ表示器が前記所定発光条件に合わないならば、前記メッセージ表示器を発光しないように制御することと、
前記メッセージ表示器が前記所定発光条件に合うならば、前記発光パラメーターに基づいて発光するように前記メッセージ表示器を制御することを更に含む、請求項１乃至３のいずれか一項に記載の方法。
【請求項５】
前記所定発光条件は、
前記メッセージ表示器が設けられた面が下向きではない条件と、
現時点が所定発光期間に属し、ここで、前記所定発光期間は、前記メッセージ表示器に発光することを許す所定期間を指す条件と、の中での少なくとも一つの条件を含む、請求項４に記載の方法。
【請求項６】
前記メッセージ表示器は、前記端末に設けられたブリージングライト又はフラッシュライトである、請求項１乃至５のいずれか一項に記載の方法。
【請求項７】
環境明るさを取得するように構成された明るさ取得モジュールと、 
前記環境明るさに基づいて端末に設けられたメッセージ表示器の発光パラメーターを決定するように構成されたパラメーター決定モジュールと、
前記発光パラメーターに基づいて発光するように前記メッセージ表示器を制御するように構成された第１制御モジュールと、
を含み、
前記パラメーター決定モジュールは、前記環境明るさに基づいて前記メッセージ表示器の明るさを決定するように構成された明るさ決定サブモジュールを含み、
前記明るさ決定サブモジュールは、
前記環境明るさに基づいて前記端末のスクリーン明るさを決定するように構成された第１明るさ決定サブモジュールと、
前記スクリーン明るさに基づいて前記メッセージ表示器の明るさを決定するように構成された第２明るさ決定サブモジュールと、を含み、
前記スクリーン明るさは、前記メッセージ表示器の明るさに比例する、発光を制御するための装置。
【請求項８】
前記パラメーター決定モジュールは、前記環境明るさに基づいて前記メッセージ表示器の色温度を決定するように構成された色温度決定サブモジュールを含む、請求項７に記載の装置。
【請求項９】
前記色温度決定サブモジュールは、
前記環境明るさと前記色温度との対応関係を含む第１所定対応関係に基づいて前記環境明るさに対応する色温度を決定するように構成された第１色温度決定サブモジュールと、
前記環境明るさの明るさ範囲を取得するように構成された明るさ範囲取得サブモジュールと、
前記明るさ範囲と前記色温度との対応関係を含む第２所定対応関係に基づいて前記明るさ範囲に対応する色温度を決定するように構成された第２色温度決定サブモジュールと、
を含む、請求項８に記載の装置。
【請求項１０】
発光するように前記メッセージ表示器をトリガーする条件が満たされるならば、前記メッセージ表示器が所定発光条件に合うか否かを決定するように構成された条件決定モジュールにおいて、前記所定発光条件は、前記メッセージ表示器に発光することを許す所定条件を指す、条件決定モジュールと、
前記メッセージ表示器が前記所定発光条件に合わないならば、発光しないように前記メッセージ表示器を制御するように構成された第２制御モジュールと、を更に含み、
前記第１制御モジュールは、前記メッセージ表示器が前記所定発光条件に合うならば、前記発光パラメーターに基づいて発光するように前記メッセージ表示器を制御するように更に構成された、請求項７乃至９のいずれか一項に記載の装置。
【請求項１１】
前記所定発光条件は、
前記メッセージ表示器が設けられた面が下向きではない条件と、
現時点が所定発光期間に属し、ここで、前記所定発光期間は、前記メッセージ表示器に発光することを許す所定期間を指す、条件と、の中での少なくとも一つの条件を含む、請求項１０に記載の装置。
【請求項１２】
前記メッセージ表示器は、前記端末に設けられたブリージングライト又はフラッシュライトである、請求項７乃至１１のいずれか一項に記載の装置。
【請求項１３】
コンピューター上で稼働する時に請求項１乃至６のいずれか一項に記載の発光を制御するための方法をコンピューターに実行させるためのコンピュータープログラム。
【請求項１４】
請求項１３に記載のコンピュータープログラムが記憶されたコンピューター読み取り可能記憶媒体。
【発明の詳細な説明】
【技術分野】
【０００１】
この出願は、２０１５年３月２５日に出願された中華人民共和国特許出願第２０１５１０１３２３２８．３に基づき、その優先権を主張し、その全内容が参照により本明細書に組み込まれる。
【０００２】
本開示は、概してディスプレイ制御技術の分野に関し、特には、発光を制御するための方法及び装置に関する。
【背景技術】
【０００３】
携帯電話、タブレット・コンピュータ、及びマルチメディア・プレイヤーといった端末には、通常、発光ダイオードから構成されるメッセージ表示器が具備される。そのようなメッセージ表示器は、残りの電池容量、電話の着信、メッセージの着信及び同種のものを表示するために使用され得る。
【０００４】
関連分野において、端末に設けられたメッセージ表示器は、一定値の発光パラメーターのものである。発光パラメーターは、限定するわけではないが、輝度及び色温度を含む。一例として輝度について述べれば、メッセージ表示器は、低輝度の環境の下では明るすぎ、高輝度の環境下では暗すぎるかもしれず、これは、一定値のメッセージ表示器の明るさから生じる。従って、関連分野では、メッセージ表示器の一定値の明るさにより生じるメッセージ表示器の不合理な発光の問題が存在する。
【発明の概要】
【課題を解決するための手段】
【０００５】
従って、本開示は、発光を制御するための方法、装置を提供する。本技術的解決手段を以下に述べる。
【０００６】
本開示の実施形態の第１側面によれば、
環境明るさを取得することと、
前記環境明るさに基づいて端末に設けられたメッセージ表示器の発光パラメーターを決定することと、
前記発光パラメーターに基づいて発光するように前記メッセージ表示器を制御することと、
を含む、発光を制御するための方法が提供される。
【０００７】
代替として、前記環境明るさに基づいて端末に設けられたメッセージ表示器の発光パラメーターを決定することは、前記環境明るさに基づいて前記メッセージ表示器の明るさを決定することを含む。
【０００８】
代替として、前記環境明るさに基づいて前記メッセージ表示器の明るさを決定することは、
前記環境明るさに基づいて前記端末のスクリーン明るさを決定することと、
前記スクリーン明るさに基づいて前記メッセージ表示器の明るさを決定することと、を含み、
前記スクリーン明るさは、前記メッセージ表示器の明るさに比例する。
【０００９】
代替として、前記環境明るさに基づいて端末に設けられたメッセージ表示器の発光パラメーターを決定することは、前記環境明るさに基づいて前記メッセージ表示器の色温度を決定することを含む。
【００１０】
代替として、前記環境明るさに基づいて前記メッセージ表示器の色温度を決定することは、
前記環境明るさと前記色温度の対応関係を含む第１所定対応関係に基づいて前記環境明るさに対応する色温度を決定すること、
又は、
前記環境明るさの明るさ範囲を取得することと、
前記明るさ範囲と前記色温度との対応関係を含む第２所定対応関係に基づいて前記明るさ範囲に対応する色温度を決定することと、
を含む。
【００１１】
代替として、該方法は、更に、
発光するように前記メッセージ表示器をトリガーする条件が満たされるならば、前記メッセージ表示器が所定発光条件に合うか否か決定し、ここで、前記所定発光条件は、前記メッセージ表示器に発光することを許す所定条件を指すと、
前記メッセージ表示器が前記所定発光条件に合わないならば、前記メッセージ表示器を発光しないように制御することと、
前記メッセージ表示器が前記所定発光条件に合うならば、前記発光パラメーターに基づいて発光するように前記メッセージ表示器を制御することを含む。
【００１２】
代替として、前記所定発光条件は、
前記メッセージ表示器が設けられた面が下向きではない条件と、
現時点が所定発光期間に属し、ここで、前記所定発光期間は、前記メッセージ表示器に発光することを許す所定期間を指す条件と、の中での少なくとも一つの条件を含む。
【００１３】
代替として、前記メッセージ表示器は、前記端末に設けられたブリージングライト又はフラッシュライトである。
【００１４】
本開示の実施形態の第２の側面によれば、発光を制御するための装置が提供され、該装置
環境明るさを取得するように構成された明るさ取得モジュールと、
前記環境明るさに基づいて端末に設けられたメッセージ表示器の発光パラメーターを決定するように構成されたパラメーター決定モジュールと、
前記発光パラメーターに基づいて発光するように前記メッセージ表示器を制御するように構成された第１制御モジュールを含む。
【００１５】
代替として、前記パラメーター決定モジュールは、前記環境明るさに基づいて前記メッセージ表示器の明るさを決定するように構成された明るさ決定サブモジュールを含む。
【００１６】
代替として、前記明るさ決定サブモジュールは、
前記環境明るさに基づいて前記端末のスクリーン明るさを決定するように構成された第１明るさ決定サブモジュールと、
前記スクリーン明るさに基づいて前記メッセージ表示器の明るさを決定するように構成された第２明るさ決定サブモジュールと、を含み、
前記スクリーン明るさは、前記メッセージ表示器の明るさに比例する。
【００１７】
代替として、前記パラメーター決定モジュールは、前記環境明るさに基づいて前記メッセージ表示器の色温度を決定するように構成された色温度決定サブモジュールを含む。
【００１８】
代替として、前記色温度決定サブモジュールは、
前記環境明るさと前記色温度との対応関係を含む第１所定対応関係に基づいて前記環境明るさに対応する色温度を決定するように構成された第１色温度決定サブモジュールと、
前記環境明るさの明るさ範囲を取得するように構成された明るさ範囲取得サブモジュールと、
前記明るさ範囲と前記色温度との対応関係を含む第２所定対応関係に基づいて前記明るさ範囲に対応する色温度を決定するように構成された第２色温度決定サブモジュールと、を含む。
【００１９】
代替として、装置は、更に、
発光するように前記メッセージ表示器をトリガーする条件が満たされるならば、前記メッセージ表示器が所定発光条件に合うか否かを決定するように構成された条件決定モジュールにして、前記所定発光条件は、前記メッセージ表示器に発光することを許す所定条件を指す、条件決定モジュールと、
前記メッセージ表示器が前記所定発光条件に合わないならば、発光しないように前記メッセージ表示器を制御するように構成された第２制御モジュールと、を含み、
前記第１制御モジュールは、前記メッセージ表示器が前記所定発光条件に合うならば、前記発光パラメーターに基づいて発光するように前記メッセージ表示器を制御するように更に構成される。
【００２０】
代替として、前記所定発光条件は、
前記メッセージ表示器が設けられた面が下向きではない条件と、
現時点が所定発光期間に属し、ここで、前記所定発光期間は、前記メッセージ表示器に発光することを許す所定期間を指す条件と、の中での少なくとも一つの条件を含む。
【００２１】
代替として、前記メッセージ表示器は、前記端末に設けられたブリージングライト又はフラッシュライトである。
【００２２】
本開示の実施形態の第３側面によれば、発光を制御するための装置が提供され、該装置は、
プロセッサーと、
前記プロセッサーにより実行可能な指令を記憶するためのメモリーと、を備え、
前記プロセッサーは、
環境明るさを取得し、
前記環境明るさに基づいて端末に設けられたメッセージ表示器の発光パラメーターを決定し、
前記発光パラメーターに基づいて発光するように前記メッセージ表示器を制御するように構成される。
【００２３】
本開示の実施形態で提供の技術的解決手段は、次の有益な効果を包含し得る。現在の環境明るさを取得し、次に環境明るさに基づいてメッセージ表示器の発光パラメーターを調整することにより、本開示の実施形態で提供の技術的解決手段は、関連分野で一定値の端末のメッセージ表示器の発光パラメーターのために生じるメッセージ表示器の不合理な発光の問題を解決し、メッセージ表示器の発光パラメーターが環境明るさに基づいて動的に調整されることを許容し、メッセージ表示器の発光が環境明るさに適合され、これにより、異なる環境下でのメッセージ表示器の発光を最適化し、従って、ユーザー体験を向上させる。
【００２４】
上述の一般的な記述及び後続の詳細な記述が、本開示を制限する意図はなく、単なる例示及び解説のためのものであるものと理解される。
【図面の簡単な説明】
【００２５】
本明細書に組み込まれ、またその一部を構成する添付図面は、本開示に一致する実施形態を図示し、また、本記述と一緒に本開示の原理の説明を果たす。
【００２６】
【図１】図１は、本開示の実施形態例に係る発光を制御するための方法を示すフローチャートである。
【００２７】
【図２】図２は、本開示の別の実施形態例に係る発光を制御するための方法を示すフローチャートである。
【００２８】
【図３】図３は、本開示の更なる別の実施形態例に係る発光を制御するための方法を示すフローチャートである。
【００２９】
【図４】図４は、本開示のまた更なる別の実施形態例に係る発光を制御するための方法を示すフローチャートである。
【００３０】
【図５】図５は、本開示の実施形態例に係る発光を制御するための装置を示すブロック図である。
【００３１】
【図６】図６は、本開示の別の実施形態例に係る発光を制御するための装置を示すブロック図である。
【００３２】
【図７】図７は、本開示の実施形態例に係る装置を示すブロック図である。
【００３３】
本開示の特定の実施形態が、上述の図面により図示され、詳細に後述される。これらの図面及び記述は、本開示の概念範囲を何らかにより制限するためのものではなく、特定の実施形態を参照することにより本開示の概念を当業者に説明するためのものである。
【発明を実施するための形態】
【００３４】
ここで、実施形態例に詳細な参照が為され、これらの例が添付図面に図示される。後続の記述が添付図面を参照し、異図の同一番号が、そうでないように示されなければ、同一又は同様の要素を表示する。実施形態例の後続の記述で述べる実施例が、本開示に一致する全実施例を表示するものではない。むしろ、これらは、添付請求項に記載された発明に関連する側面に一致する装置及び方法の単なる例である。
【００３５】
図１は、本開示の実施形態例に係る発光を制御するための方法を示すフローチャートである。この実施形態は、携帯電話、タブレット・コンピュータ、及びＰＤＡ（パーソナル・デジタル・アシスタント）といった端末に発光を制御するための方法を適用する例を与える。発光を制御するための本方法は、次のステップを含み得る。
【００３６】
ステップ１０２で、環境明るさが取得される。
【００３７】
端末には、光センサーが設けられ、これにより、現在の環境明るさが取得される。
【００３８】
加えて、この実施形態においては、環境明るさを取得するタイミングに何らの制限がない。例えば、環境明るさは、リアルタイムで、又は所定期間インターバルで、又は発光するように端末に設けられたメッセージ表示器を制御する前等で端末により取得され得る。
【００３９】
ステップ１０４において、端末に設けられたメッセージ表示器の発光パラメーターが環境明るさに基づいて決定される。
【００４０】
発光パラメーターは、限定するわけではないが、明るさ及び色温度を含む。
【００４１】
端末により環境明るさが取得された後、メッセージ表示器の発光パラメーターが所定アルゴリズムの計算により、また環境明るさに基づいて、取得され得る。さもなければ、異なる環境明るさと異なる発光パラメーターの対応関係が事前に端末に記憶され、端末により環境明るさが取得された後、メッセージ表示器の発光パラメーターが、事前記憶された対応関係を問い合わせることにより決定され得る。
【００４２】
ステップ１０６において、メッセージ表示器は、発光パラメーターに基づいて発光するように制御される。
【００４３】
メッセージ表示器は、決定された発光パラメーターに基づいて端末により発光するように動的に制御され、メッセージ表示器の発光が、現在の環境明るさに適合される。
【００４４】
代替として、メッセージ表示器は、端末に設けられたブリージングライト又はフラッシュライトである。メッセージ表示器は、ユーザーに視覚通知（visual reminder）を放出するように用いられる。例えば、メッセージ表示器は、所定値よりも低い残りのバッテリー容量の端末の時に視覚通知を放出し、又は、電話着信、メッセージ着信、又はプッシュ型通知の場合の視覚通知を放出するように用いられ得る。メッセージ表示器は、端末のスクリーン側又は非スクリーン側に設けられ得る。例えば、メッセージ表示器は、端末の筐体後面又は筐体側面に設けられ得る。代替として、メッセージ表示器は、発光ダイオード（ＬＥＤ）から構成され得る。
【００４５】
一例においては、端末のスクリーン側にブリージングライトが設けられ、端末の非スクリーン側にフラッシュライトが設けられると想定される。端末が電話の着信を受け取る時、端末は、まず、スクリーンが遮蔽されているか否かを検出する。スクリーンが遮蔽(ブロック)されていない場合、端末は、現在の環境明るさに基づいてブリージングライトの発光パラメーターを決定し、ブリージングライトの決定された発光パラメーターに基づいて発光するようにブリージングライトを制御する。スクリーンが遮蔽されている場合、端末は、現在の環境明るさに基づいてフラッシュライトの発光パラメーターを決定し、決定されたフラッシュライトの発光パラメーターに基づいて発光するようにフラッシュライトを制御し、端末のスクリーン及びブリージングライトが遮蔽されている場合にユーザーに通知を送信することができる。
【００４６】
結論として、現在の環境明るさを取得し、次に環境明るさに基づいてメッセージ表示器の発光パラメーターを調整することにより、本実施形態で提供の発光を制御するための方法は、関連分野において一定値の端末のメッセージ表示器の発光パラメーターから生じるメッセージ表示器の不合理な発光の問題を解決し、メッセージ表示器の発光パラメーターが環境明るさに基づいて動的に調整されることを許容し、メッセージ表示器の発光が環境明るさに適合され、これにより、異なる環境下でのメッセージ表示器の発光を最適化し、従って、ユーザー体験を向上させる。
【００４７】
環境明るさに基づいてメッセージ表示器の明るさ及び色温度を制御する例が、各々、図２及び３に図示のように実施形態に図示される。
【００４８】
図２は、本開示の別の実施形態例に係る発光を制御するための方法を示すフローチャートである。この実施形態は、携帯電話、タブレット・コンピュータ、及びＰＤＡ（パーソナル・デジタル・アシスタント）といった端末に発光を制御するための方法を適用する例を与える。発光を制御するための本方法は、次のステップを含み得る。
【００４９】
ステップ２０２において、環境明るさが取得される。
【００５０】
端末には光センサーが設けられ、これにより、現在の環境明るさが取得される。
【００５１】
また、この実施形態においては、環境明るさを取得するタイミングに何らの制限がない。例えば、環境明るさは、リアルタイムで、又は所定期間インターバルで、又は発光するように端末に設けられたメッセージ表示器を制御する前等で端末により取得され得る。
【００５２】
ステップ２０４において、メッセージ表示器の明るさが環境明るさに基づいて決定される。
【００５３】
端末により環境明るさが取得された後、メッセージ表示器の明るさが、所定アルゴリズムでの計算により、また環境明るさに基づいて取得され得る。さもなければ、異なる環境明るさとメッセージ表示器の異なる明るさ間の対応関係が事前に端末に記憶され、端末により環境明るさが取得された後、メッセージ表示器の明るさが、事前記憶された対応関係を問い合わせることにより決定され得る。環境明るさは、メッセージ表示器の明るさに比例する。環境明るさが増せば、メッセージ表示器の明るさも増す；別の場合、環境明るさが減じられれば、メッセージ表示器の明るさも減じられる。
【００５４】
代替の実施形態においては、端末のスクリーン明るさが、まず、環境明るさに基づいて端末により決定され、次に、メッセージ表示器の明るさが、スクリーン明るさに基づいて決定され得る。スクリーン明るさは、メッセージ表示器の明るさに比例する。代替として、端末は、スクリーン明るさに基づいて表示するようにスクリーンを制御し得る。
【００５５】
ステップ２０６において、メッセージ表示器は、メッセージ表示器の明るさに基づいて発光するように制御される。
【００５６】
メッセージ表示器は、メッセージ表示器の明るさに基づいて端末により発光するように制御され、メッセージ表示器の明るさが現在の環境明るさに適合される。
【００５７】
代替として、メッセージ表示器は、端末に設けられたブリージングライト又はフラッシュライトであり得る。メッセージ表示器は、ユーザーに視覚通知を放出するように用いられる。例えば、メッセージ表示器は、残りのバッテリー容量、電話の着信、メッセージの着信、又はプッシュ型通知といったメッセージを表示するために用いられ得る。メッセージ表示器は、端末のスクリーン側又は非スクリーン側に設けられ得る。例えば、メッセージ表示器は、端末の筐体後面又は筐体側面に設けられ得る。代替として、メッセージ表示器は、発光ダイオード（ＬＥＤ）から構成され得る。
【００５８】
結論として、現在の環境明るさを取得し、次に環境明るさに基づいてメッセージ表示器の明るさを調整することにより、本実施形態で提供の発光を制御するための方法は、関連分野において一定値の端末のメッセージ表示器の明るさから生じるメッセージ表示器の不合理な発光の問題を解決し、メッセージ表示器の明るさが環境明るさに基づいて動的に調整されることを許容し、メッセージ表示器の明るさが環境明るさに適合され、これにより、異なる環境下でのメッセージ表示器の発光を最適化し、従って、ユーザー体験を向上させる。
【００５９】
また、環境明るさに基づいてスクリーン明るさを動的に調整することにより、環境明るさ、スクリーン明るさ、及びメッセージ表示器の明るさがお互いに適合され、更には、端末が、異なる環境下でユーザーに最適なスクリーン明るさ及び最適なメッセージ表示器の明るさを提示し、従って、ユーザー体験を十分に向上させる。
【００６０】
図３は、本開示の更なる別の実施形態例に係る発光を制御するための方法を示すフローチャートである。この実施形態は、携帯電話、タブレット・コンピュータ、及びＰＤＡ（パーソナル・デジタル・アシスタント）といった端末に発光を制御するための方法を適用する例を与える。発光を制御するための本方法は、次のステップを含み得る。
【００６１】
ステップ３０２において、環境明るさが取得される。
【００６２】
端末には光センサーが設けられ、これにより、現在の環境明るさが取得される。
【００６３】
また、この実施形態においては、環境明るさを取得するタイミングに何らの制限がない。例えば、環境明るさは、リアルタイムで、又は所定期間インターバルで、又は発光するように端末に設けられたメッセージ表示器を制御する前等で端末により取得され得る。
【００６４】
ステップ３０４において、メッセージ表示器の色温度が環境明るさに基づいて決定される。
【００６５】
図２に図示の実施形態と比較するに、本実施形態の差異は、環境明るさに基づいて端末によりメッセージ表示器の色温度が決定されることにある。色温度は、ケルビン（Ｋ）単位で光源の光色を表す物理量である。異なる色温度は、異なる主観の視覚的認識をユーザーにもたらす。一般的に、３３００Ｋ以下の色温度の光は、赤みがかった色であり、ユーザーに温かい主観の視覚的認識をもたらす；３３００Ｋと６０００Ｋの間の色温度の光は、白色であり、ユーザーにさわやかな主観の視覚的認識をもたらす；また、６０００Ｋ以上の色温度の光は、青色であり、ユーザーにやや寒い主観の視覚的認識をもたらす。
【００６６】
結果として、光源の色温度が環境明るさに適合されるか否かは、ユーザーの主観の視覚的認識に直接的に影響する。例としては、低い（弱い）環境明るさの環境において、もし光源の色温度が高すぎ、光色が青色であるならば、ユーザーに寒々しい主観の視覚的認識をもたらす；高い（強い）環境明るさの環境において、光源の色温度が低すぎ、赤みがかった色であるならば、暑苦しい主観の視覚的認識をもたらす。
【００６７】
本開示においては、メッセージ表示器の色温度が現在の環境明るさに基づいて端末により決定され、メッセージ表示器の色温度が環境明るさに適合される。例としては、低い環境明るさが低い色温度に帰結し、メッセージ表示器が赤みがかった光色となり、これにより、温かい主観の視覚的認識をユーザーにもたらす；高い環境明るさが高い色温度に帰結し、メッセージ表示器が青色となり、これにより、さわやかな主観の視覚的認識をユーザーにもたらす。
【００６８】
加えて、本ステップは、次の代替の実施形態を含み得る。一つの代替の実施形態においては、環境明るさに対応する色温度は、第１所定対応関係に基づいて端末により決定される。そのような第１所定対応関係は、異なる環境明るさと異なる色温度の対応関係を含む。別の代替の実施形態においては、環境明るさの明るさ範囲が端末により取得される；明るさ範囲に対応する色温度は、第２所定対応関係に基づいて決定される。そのような第２所定対応関係は、異なる明るさ範囲と異なる色温度の対応関係を含む。明らかに、他の代替の実施形態においては、メッセージ表示器の色温度は、また、環境明るさに基づいて、及び所定アルゴリズムにより、端末により計算される。
【００６９】
ステップ３０６において、メッセージ表示器は、メッセージ表示器の色温度に基づいて発光するように制御される。
【００７０】
メッセージ表示器は、メッセージ表示器の色温度に基づいて端末により発光するように制御され、メッセージ表示器の色温度が現在の環境明るさに適合される。
【００７１】
代替として、メッセージ表示器は、端末に設けられたブリージングライト又はフラッシュライトであり得る。メッセージ表示器は、ユーザーに視覚通知を放出するように用いられる。例えば、メッセージ表示器は、残りのバッテリー容量、電話の着信、メッセージの着信、又はプッシュ型通知といったメッセージを表示するために用いられ得る。メッセージ表示器は、端末のスクリーン側又は非スクリーン側に設けられ得る。例えば、メッセージ表示器は、端末の筐体後面又は筐体側面に設けられ得る。代替として、メッセージ表示器は、発光ダイオード（ＬＥＤ）から構成され得る。
【００７２】
他の代替の実施形態においては、スクリーン明るさが、また、環境明るさに基づいて端末によりまず決定され、次に、メッセージ表示器の色温度がスクリーン明るさに基づいて決定され、メッセージ表示器の色温度がスクリーン明るさに適合されることに留意されたい。この点は、本開示の実施形態に基づいて当業者が想定可能な内容であり、以降に繰り返し記述されない。
【００７３】
結論として、現在の環境明るさを取得し、次に環境明るさに基づいてメッセージ表示器の色温度を調整することにより、本実施形態で提供の発光を制御するための方法は、関連分野において一定値の端末のメッセージ表示器の色温度から生じるメッセージ表示器の不合理な発光の問題を解決し、メッセージ表示器の色温度が環境明るさに基づいて動的に調整されることを許容し、メッセージ表示器の色温度が環境明るさに適合され、これにより、異なる環境下でのメッセージ表示器の発光を最適化し、従って、ユーザー体験を向上させる。
【００７４】
本開示の実施形態において限定されないが、実用的な用途においては、現在の環境明るさを取得した後、メッセージ表示器の明るさ及び／又は色温度が環境明るさに基づいて端末により調整され、また環境明るさに基づいてメッセージ表示器の明るさと色温度が同調して調整されることにも留意されたい。
【００７５】
図４は、本開示のまた更なる別の実施形態例に係る発光を制御するための方法を示すフローチャートである。この実施形態は、携帯電話、タブレット・コンピュータ、及びＰＤＡ（パーソナル・デジタル・アシスタント）といった端末に発光を制御するための方法を適用する例を与える。発光を制御するための本方法は、次のステップを含み得る。
【００７６】
ステップ４０１において、発光するように前記メッセージ表示器をトリガーする条件が満たされるならば、メッセージ表示器が所定発光条件に合うか否か決定される。
【００７７】
メッセージ表示器は、ユーザーに視覚通知を放出するため、端末に設けられる。メッセージ表示器を発光するトリガーのための条件は、異なる設定要求に応じて異なる。例えば、メッセージ表示器は、端末の残りのバッテリー容量を表示するために用いられる時、メッセージ表示器を発光するトリガーのための条件は、所定値よりも低い残りのバッテリー容量の端末であり得る。別例については、メッセージ表示器が、電話の着信、メッセージの着信、又はプッシュ型通知を示すために用いられる時、発光するようにメッセージ表示器をトリガーするための条件は、電話の着信、メッセージの着信、又はプッシュ型通知の受け取りであり得る。
【００７８】
本実施形態においては、発光するようにメッセージ表示器をトリガーするための条件が満たされる時、メッセージ表示器が所定発光条件に合うか否かが、端末により決定される。そのような所定発光条件が、メッセージ表示器に発光することを許す所定条件を指す。
【００７９】
代替として、所定発光条件は、メッセージ表示器が設けられた面が下向きではない条件と、現時点が所定発光期間に属する条件、の少なくとも一つを含む。所定発光期間が、メッセージ表示器に発光することを許す所定期間を指す。
【００８０】
一つの代替の実施形態においては、一例として、所定発光条件が、メッセージ表示器が設けられた面が下向きではないこととする。
【００８１】
一般的に、メッセージ表示器が設けられた面が下向きの時、メッセージ表示器が遮蔽されていることが見込まれ、視覚通知が、メッセージ表示器により放出されても、ユーザーは、それに気づかない。従って、端末処理の負担を節約し、バッテリー消費を低減するため、メッセージ表示器は、下向き側に配される時に発光することが許されない。対照的に、メッセージ表示器が設けられた面が下向きではない、つまり、メッセージ表示器が設けられた面が上向き又は側面の時、メッセージ表示器は、通常遮蔽されず、ユーザーは、メッセージ表示器により出射される視覚通知に気づき得る。従って、メッセージ表示器は、下向きではない側に配される時に発光することが許される。
【００８２】
更には、端末装置は、組み込み重力センサーにより収集されたデータでメッセージ表示器が設けられた面が下向きか否かを決定し得る。重力センサーが端末の重心位置の収集後、端末の異なる配置状態に対応する異なる重心位置に基づいて、垂直状態、水平状態、スクリーン上向き状態、又はスクリーン下向き状態などであるか否かを決定し得る。さもなければ、端末は、光センサー又は距離センサーで収集されたデータでメッセージ表示器が設けられた面が下向きであるか否かも決定し得る。光センサーを例とすれば、メッセージ表示器と同じ側に配置され、メッセージ表示器の前方の光強度の値が光センサーにより収集され得る。所定閾値よりも光強度の値が低い場合、メッセージ表示器が遮蔽され、若しくはメッセージ表示器が設けられた面が下向きであると決定し得る。所定閾値は、ゼロに近いある一定値であり得、若しくは異なる時間毎に可変で有り得、例えば、所定閾値は、日中は僅かに高く、夜はやや低く設定する。
【００８３】
一例においては、所定発光条件が、メッセージ表示器が設けられた面が下向きではないことであり、発光するようにメッセージ表示器をトリガーするための条件は、電話の着信の受け取りであるものと想定される。電話の着信を受け取る時、端末は、組み込み重力センサーにより収集された重心位置に基づいて、メッセージ表示器が設けられた面が下向きか否かを決定する。もしメッセージ表示器が設けられた面が下向きではないならば、メッセージ表示器が所定発光条件に合うことを示す。もしメッセージ表示器が設けられた面が下向きならば、メッセージ表示器が所定発光条件に合わないことを示す。
【００８４】
別例においては、端末には、スクリーン側にブリージングライトが設けられ、フラッシュライトが非スクリーン側に設けられることが想定される。通常の状況下では、ブリージングライトは、ユーザーに視覚通知を放出するためのメッセージ表示器とされる。電話の着信を受け取る時、端末は、ブリージングライトが設けられる側（すなわち、スクリーン側）が下向きか否かを決定する。ブリージングライトが設けられる側が下向きではないならば、端末は、ステップ４０３〜４０５を介して発光するようにブリージングライトを制御する。ブリージングライトが設けられる側が下向きならば、フラッシュライトが設けられた非スクリーン側が下向きではないと示し、端末は、ブリージングライトに代えて、ステップ４０３〜４０５を介して発光するようにフラッシュライトを制御する。端末は、バックアップメッセージ表示器としてフラッシュライトを用いる。ブリージングライトが遮蔽される場合、端末をどのように置くかに関わらずユーザーに視覚通知を効果的に放出するように、非遮蔽のフラッシュライトが、ユーザーに視覚通知を放出するように用いられ得る。
【００８５】
別の代替の実施形態においては、所定発光条件は、所定発光期間に属する現時点である。
【００８６】
ユーザーは、実用的な要求としてメッセージ表示器のために所定発光期間を設定し得る。メッセージ表示器は、所定発光期間の間に発光することが許される；所定発光期間以外は発光することが許されない。例えば、ユーザーは、所定発光期間として８：００〜２４：００の非スリープ期間を設定し、メッセージ表示器は、各日に８：００〜２４：００の非スリープ期間の間に発光することが許され、他方、各日の０：００〜８：００のスリープ期間の間に発光することが許されない。発光するようにメッセージ表示器をトリガーするための条件が満たされる時、端末は、現時点が所定発光期間に属するか否かを決定する。もし現時点が所定発光期間に属するならば、メッセージ表示器が所定発光条件に合うことを示す。例えば、１０：００に電話の着信を受け取る時、端末は、メッセージ表示器が所定発光条件に合うことを決定する。なぜなら、１０：００は、８：００〜２４：００の所定発光期間内であるからである。更には、もし現時点が所定発光期間に属しないならば、メッセージ表示器が所定発光条件に合わないことを示す。例えば、４：００に電話の着信を受け取る時、端末は、メッセージ表示器が所定発光条件に合わないことを決定する。なぜなら、４：００は、８：００〜２４：００の所定発光期間外であるためである。
【００８７】
実用的な用途においては、所定発光条件は、メッセージ表示器が設けられた面が下向きではなく、現時点が所定発光期間に属することの任意の一つを含み得ることに留意されたい。代替として、所定発光条件は、メッセージ表示器が設けられた面が下向きではなく、現時点が所定発光期間に属することの両方を含み得る。例えば、電話の着信を受け取る時、端末は、メッセージ表示器が設けられた面が下向きか否かを決定する。メッセージ表示器が設けられた面が下向きではないと端末が決定するならば、端末は、現時点が所定発光期間に属するか否かを更に決定する。更には、現時点が所定発光期間に属すると決定される場合、メッセージ表示器は、所定発光条件に合うものと決定される。メッセージ表示器が上述の２つの条件の任意の一つに合わない限り、メッセージ表示器は、所定発光条件に合わないと決定される。
【００８８】
本開示において、メッセージ表示器が設けられた面が下向きでないこと及び／又は現時点が所定発光期間に属することを含む所定発光条件は、説明の例として単に取られることにも留意されたい。実用的な用途においては、また、実用的な要求として異なる所定発光条件が設定され得る。例えば、所定発光条件は、更に：メッセージ表示器が遮蔽されていないこと、端末の残りのバッテリー容量が所定最小値以上であること等を更に含み得る。
【００８９】
更には、本実施形態においては、メッセージ表示器が所定発光条件に合わないならば、次のステップ４０２が実行される；そうでなく、メッセージ表示器が前記所定発光条件に合うならば、次のステップ４０３〜４０５が実行される。
【００９０】
ステップ４０２において、メッセージ表示器は、発光しないように制御される。
【００９１】
メッセージ表示器が所定発光条件に合わない時、メッセージ表示器は、端末により発光しないように制御される。結果として、端末処理の負担を節約し、またバッテリー消費を低減するのみならず、また、ユーザーの構成ニーズに応じてメッセージ表示器の発光を動的に制御し得、これにより、ユーザーの個別のニーズを満足し、ユーザー体験を向上する。
【００９２】
ステップ４０３において、環境明るさが取得される。
【００９３】
ステップ４０４において、端末に設けられたメッセージ表示器の発光パラメーターが、環境明るさに基づいて決定される。
【００９４】
発光パラメーターは、限定するわけではないが、明るさ及び色温度を含む。
【００９５】
ステップ４０５において、メッセージ表示器は、発光パラメーターに基づいて発光するように制御される。
【００９６】
メッセージ表示器が所定発光条件に合う時、メッセージ表示器は、端末により発光するように制御される。加えて、端末により発光するようにメッセージ表示器を制御するステップ、つまり、図１乃至３に図示の実施形態の上述のステップ４０３〜４０５が導入され、これはすでに詳細に記述されており、本段落で繰り返し記述しない。
【００９７】
結論として、発光するようにメッセージ表示器をトリガーするための条件が満たされる時、メッセージ表示器が所定発光条件に合うか否かを決定し、メッセージ表示器が、その決定された結果に基づいて発光するように制御されるか否かを決定することにより、本実施形態に提示の発光を制御するための方法は、ユーザーの構成ニーズに応じてメッセージ表示器の発光を動的に制御し、これにより、ユーザーの個別のニーズを満たし、ユーザー体験を向上させる。
【００９８】
本開示の次の装置の実施形態が、本開示の方法の実施形態を実行するために用いられ得る。本開示の装置の実施形態において詳細に記述されないため、本開示の方法の実施形態を参照されたい。
【００９９】
図５は、本開示の実施形態例に係る発光を制御するための装置を示すブロック図である。そのような発光を制御するための装置は、ソフトウェア、ハードウェア、又はこれらの組み合わせにより端末の一部又は全体であり得る。そのような発光を制御するための装置は、明るさ取得モジュール５１０、パラメーター決定モジュール５２０、及び第１制御モジュール５３０を含み得る。
【０１００】
明るさ取得モジュール５１０は、環境明るさを取得するように構成される。
【０１０１】
パラメーター決定モジュール５２０は、環境明るさに基づいて端末に設けられたメッセージ表示器の発光パラメーターを決定するように構成される。
【０１０２】
第１制御モジュール５３０は、発光パラメーターに基づいて発光するようにメッセージ表示器を制御するように構成される。
【０１０３】
結論として、現在の環境明るさを取得し、次に、環境明るさに基づいてメッセージ表示器の発光パラメーターを調整することにより、本実施形態に提示の発光を制御するための装置は、関連分野で端末のメッセージ表示器の発光パラメーターが一定値であることから生じるメッセージ表示器の不合理な発光の問題を解決し、メッセージ表示器の発光パラメーターが環境明るさに基づいて動的に調整されることを許容し、メッセージ表示器の発光が環境明るさに適合され、これにより、異なる環境下でのメッセージ表示器の発光を最適化し、従って、ユーザー体験を向上させる。
【０１０４】
図６は、本開示の別の実施形態例に係る発光を制御するための装置を示すブロック図である。そのような発光を制御するための装置は、ソフトウェア、ハードウェア、又はこれらの組み合わせにより端末の一部又は全体であり得る。そのような発光を制御するための装置は、 明るさ取得モジュール５１０、パラメーター決定モジュール５２０、及び第１制御モジュール５３０を含み得る。
【０１０５】
明るさ取得モジュール５１０は、環境明るさを取得するように構成される。
【０１０６】
パラメーター決定モジュール５２０は、環境明るさに基づいて端末に設けられたメッセージ表示器の発光パラメーターを決定するように構成される。
【０１０７】
第１制御モジュール５３０は、発光パラメーターに基づいて発光するようにメッセージ表示器を制御するように構成される。
【０１０８】
代替として、パラメーター決定モジュール５２０は、明るさ決定サブモジュール５２０aを含む。
【０１０９】
明るさ決定サブモジュール５２０ａは、環境明るさに基づいてメッセージ表示器の明るさを決定するように構成される。
【０１１０】
代替として、明るさ決定サブモジュール５２０ａは、第１明るさ決定サブモジュール５２０ａ１及び第２明るさ決定サブモジュール５２０ａ２を含む。
【０１１１】
第１明るさ決定サブモジュール５２０ａ１は、環境明るさに基づいて端末のスクリーン明るさを決定するように構成される。
【０１１２】
第２明るさ決定サブモジュール５２０ａ２は、スクリーン明るさに基づいてメッセージ表示器の明るさを決定するように構成される。
【０１１３】
スクリーン明るさは、メッセージ表示器の明るさに比例する。
【０１１４】
代替として、パラメーター決定モジュール５２０は、色温度決定サブモジュール５２０ｂを含む。
【０１１５】
色温度決定サブモジュール５２０ｂは、環境明るさに基づいてメッセージ表示器の色温度を決定するように構成される。
【０１１６】
色温度決定サブモジュール５２０ｂは、環境明るさと色温度の対応関係を含む第１所定対応関係に基づいて環境明るさに対応する色温度を決定するように構成された第１色温度決定サブモジュール５２０ｂ１を含む。
【０１１７】
代替として、色温度決定サブモジュール５２０ｂは、
環境明るさの明るさ範囲を取得するように構成される明るさ範囲取得サブモジュール５２０ｂ２と、
明るさ範囲及び色温度の対応関係を含む第２所定対応関係に基づいて明るさ範囲に対応する色温度を決定するように構成された第２色温度決定サブモジュール５０２ｂ３を含む。
【０１１８】
代替として、装置は、更に、条件決定モジュール５２２及び第２制御モジュール５２４を含む。
【０１１９】
条件決定モジュール５２２は、発光するように前記メッセージ表示器をトリガーする条件が満たされるならば、メッセージ表示器が所定発光条件に合うか否かを決定するように構成され、所定発光条件は、メッセージ表示器に発光することを許す所定条件を指す。
【０１２０】
第２制御モジュール５２４は、メッセージ表示器が所定発光条件に合わない場合、発光しないようにメッセージ表示器を制御するように構成される。
【０１２１】
第１制御モジュール５３０は、メッセージ表示器が所定発光条件に合う場合、発光パラメーターに基づいて発光するようにメッセージ表示器を制御するように更に構成される。
【０１２２】
代替として、所定発光条件は、少なくとも次の一つを含む：
メッセージ表示器が設けられた面が下向きではない条件と、
現時点が所定発光期間に属する条件、ここで、所定発光期間が、メッセージ表示器に発光することを許す所定期間を指す。
【０１２３】
代替として、メッセージ表示器は、端末に設けられたブリージングライト又はフラッシュライトである。
【０１２４】
結論として、現在の環境明るさを取得し、次に、環境明るさに基づいてメッセージ表示器の発光パラメーターを調整することにより、本実施形態に提示の発光を制御するための装置は、関連分野で端末のメッセージ表示器の発光パラメーターが一定値であることから生じるメッセージ表示器の不合理な発光の問題を解決し、メッセージ表示器の発光パラメーターが環境明るさに基づいて動的に調整されることを許容し、メッセージ表示器の発光が環境明るさに適合され、これにより、異なる環境下でのメッセージ表示器の発光を最適化し、従って、ユーザー体験を向上させる。
【０１２５】
上述の実施形態の装置に関して、各モジュールで実行される特定の動作モードが本開示の方法の実施形態において詳細に記述されており、本段落では繰り返し記述されない。
【０１２６】
図７は、本開示の実施形態例に係る装置７００を示すブロック図である。例えば、装置７００は、携帯電話、コンピューター、デジタル放送端末、メッセージ送受信装置、ゲーム・コンソール、フラットパネル装置、医療装置、フィットネス装置、ＰＤＡ、又は同種のものであり得る。
【０１２７】
図７を参照すると、装置７００は、処理部品７０２、メモリー７０４、電源部品７０６、マルチメディア部品７０８、オーディオ部品７１０、入出力インターフェイス７１２、センサー部品７１４、及び通信部品７１６の１以上の構成部品を含み得る。
【０１２８】
処理部品７０２は、典型的には、表示、電話、データ通信、カメラ動作、及び録音動作に関連する動作といった装置７００の全体の動作を制御する。処理部品７０２は、１以上のプロセッサー７２０を含み、上述の方法のステップの全て又は一部を実行するように指令を実行する。その上、処理部品７０２は、処理部７０２と他の部品の間の相互作用を促進する１以上のモジュールを含み得る。例えば、処理部品７０２は、マルチメディアモジュールを含み、マルチメディア部品７０８と処理部品７０２間の相互作用を促進する。
【０１２９】
メモリー７０４は、様々な種類のデータを記憶し、装置７００の動作をサポートするように構成される。そのようなデータの例が、装置７００上で動作する任意のアプリケーション又は方法のための指令、コンタクトデータ、電話帳データ、メッセージ、写真、ビデオ等を含む。メモリー７０４は、スタティック・ランダム・アクセス・メモリー（ＳＲＡＭ）、電気的に消去可能なプログラム可能リードオンリーメモリー（ＥＥＰＲＯＭ）、消去可能なプログラム可能リードオンリーメモリー（ＥＰＲＯＭ）、プログラム可能リードオンリーメモリー（ＰＲＯＭ）、リードオンリーメモリー（ＲＯＭ）、磁気メモリー、フラッシュメモリー、磁気又は光ディスクといった、任意の種類の揮発又は不揮発メモリー装置、又はこれらの組み合わせを用いて実施され得る。
【０１３０】
電源部品７０６は、装置７００の様々な部品に電力を提供する。電源部品７０６は、電力管理システム、１以上の電源、及び装置７００において電力の生成、管理、及び分配に関する任意の他の部品を含み得る。
【０１３１】
マルチメディア部品７０８は、装置７００とユーザー間に出力インターフェイスを提供するスクリーンを含む。幾つかの実施形態においては、スクリーンは、液晶ディスプレイ（ＬＣＤ）及びタッチパネル（ＴＰ）を含み得る。もしスクリーンがタッチパネルを含むならば、スクリーンは、タッチスクリーンとして実施され、ユーザーからの入力信号を受け取る。タッチパネルは、１以上のタッチセンサーを含み、タッチ、スワイプ、及びタッチパネル上のジェスチャーを検出する。タッチセンサーは、タッチ又はスワイプ動作の境界を検出するのみならず、タッチ又はスワイプ動作に関連の継続時間や圧力も検出し得る。幾つかの実施形態においては、マルチメディア部品７０８は、フロントカメラ及び／又はリアカメラを含む。装置７００が、写真モード又はビデオモードといった動作モードにある時、フロントカメラ及びリアカメラは、外部マルチメディアデータを受け取る。フロントカメラ及びリアカメラそれぞれは、固定された光学レンズシステムであり得、若しくは、フォーカシング及び光学ズーム能力を有し得る。
【０１３２】
オーディオ部品７１０は、オーディオ信号を出力及び／又は入力するように構成される。例えば、電話モード、録音モード、及び音声認識モードといった動作モードに装置７００がある時、オーディオ部品７１０は、外部音声信号を受け取るように構成されたマイク（ＭＩＣ）を含む。受け取られたオーディオ信号は、更に、メモリー７０４に記憶され、若しくは、通信部品７１６を介して伝送され得る。幾つかの実施形態においては、オーディオ部品７１０は、更に、オーディオ信号を出力するスピーカーを含む。
【０１３３】
Ｉ／Ｏインターフェイス７１２は、処理部品７０２と、キーボード、クリックホイール、ボタン及び同種のものといった周辺インターフェイスモジュールの間のインターフェイスを提供する。ボタンは、限定するわけではないが、ホームボタン、ボリュームボタン、スタートボタン、及びロックボタンを含み得る。
【０１３４】
センサー部品７１４は、１以上のセンサーを含み、装置７００の様々な側面のステータス評価を提供する。例えば、センサー部品７１４は、装置７００の開／閉状態、例えば、装置７００のディスプレイとキーパッドの部品の相対的な位置付け、装置７００又は装置７００の部品の位置の変化、装置７００へのユーザーコンタクトの有無、装置７００の配向又は加速／減速、及び装置７００の温度の変化を検出し得る。センサー部品７１４は、物理的な接触無しで近くの対象の存在を検出するように構成された近接センサーを含み得る。センサー部品７１４は、イメージング用途での使用のため、ＣＭＯＳ又はＣＣＤイメージセンサーといった光センサーも含み得る。幾つかの実施形態においては、センサー部品７１４は、加速度センサー、ジャイロスコープセンサー、磁気センサー、圧力センサー、又は温度センサーも含み得る。
【０１３５】
通信部品７１６は、装置７００と他の装置間の有線又は無線の通信を促進するように構成される。装置７００は、ＷｉＦｉ、２Ｇ、３Ｇ、又はこれらの組み合わせといった通信標準に基づいて無線ネットワークにアクセス可能である。一つの例の実施形態においては、通信部品７１６は、ブロードキャストチャネルを介して外部のブロードキャスト管理システムからブロードキャスト信号又はブロードキャスト関連メッセージを受け取る。一つの例の実施形態においては、通信部品７１６は、更に、近距離無線通信（ＮＦＣ）モジュールを含み、短距離通信を促進する。例えば、ＮＦＣモジュールは、無線自動識別（ＲＩＤ）技術、赤外線通信規格（ＩｒＤＡ）技術、ウルトラ・ワイドバンド（ＵＷＢ）技術、ブルートゥース（登録商標）（ＢＴ）技術、及び他の技術に基づいて実施され得る。
【０１３６】
加えて、装置７００には、更にメッセージ表示器（不図示）が具備される。例示の実施形態においては、メッセージ表示器は、装置７００に設けられたブリージングライト又はフラッシュライトである。メッセージ表示器は、ユーザーに視覚通知を放出するために用いられる。例えば、メッセージ表示器は、バッテリーレベル、電話の着信、メッセージの着信、及びプッシュ型通知といったメッセージを示すために用いられ得る。メッセージ表示器は、装置７００のスクリーン側、又は装置７００の非スクリーン側に設けられ得る。例えば、メッセージ表示器は、装置７００の筐体後面又は筐体側面に設けられる。代替として、メッセージ表示器は、ＬＥＤから成る。
【０１３７】
例示の実施形態において、装置７００は、上述の方法を実施するため、１以上の特定用途向け集積回路（ＡＳＩＣ）、デジタル信号プロセッサー（ＤＳＰ）、デジタル信号処理装置（ＤＳＰＤ）、プログラム可能論理装置（ＰＬＤ）、フィールドプログラマブルゲートアレイ（ＦＰＧＡ）、コントローラー、マイクロコントローラー、マイクロプロセッサー、又は他の電子部品で実施され得る。
【０１３８】
例示の実施形態においては、上述の方法を実行するため、装置７００のプロセッサー７２０により実行可能である、メモリー７０４に含まれるものといった指令を含む非一時的なコンピューター読み取り可能記憶媒体も提供される。例えば、非一時的なコンピューター読み取り可能記憶媒体は、ＲＯＭ，ＲＡＭ，ＣＤ−ＲＯＭ，磁気型、フロッピーディスク、光学データ記憶装置、及び同種のものであり得る。
【０１３９】
非一時的なコンピューター読み取り可能記憶媒体は、そこに記憶された指令を含み、装置７００のプロセッサーにより実行される時、図１，２，３，又は４に示した実施形態で提供された発光を制御するための方法を装置７００が実行するようにさせる。
【０１４０】
本発明の他の実施形態が、本明細書に開示された発明の詳細及び実施の検討から当業者には明らかになる。この出願は、本発明の原理概要に従い、また該分野で知られている若しくは慣用されている本開示からのそのような逸脱を含む、本発明の任意のバリエーション、使用、又は適合を包囲するものと意図される。詳細な説明及び実施例が単なる例示のみと理解されることが意図され、本発明の真の範囲及び精神が次の請求項により示される。
【０１４１】
本発明は、上述及び添付図面に図示されたままの構成に限定されず、その様々な修正及び変更が、その範囲から逸脱することなく為し得るものと理解される。本発明の範囲は、添付請求項によりのみ限定されることが意図される。
【図１】
0006273026.tif 000002
【図２】
0006273026.tif 000003
【図３】
0006273026.tif 000004
【図４】
0006273026.tif 000005
【図５】
0006273026.tif 000006
【図６】
0006273026.tif 000007
【図７】
0006273026.tif 000008